(57)【要約】      （修正有）【課題】花や葉を密に配置することなく、相互に距離を持った位置関係を保って自由に動ける形態を創り出し、花や葉が自然な動きをするとともに、全体のボリューム感を実現できるブーケを提供する。【解決手段】葉又は花１０を有する茎が、水平基準面に対して各々異なる方向に交差・配置された第１の茎から第４の茎２１〜２４と、葉または花が５本構成の花束の中央に位置し、水平基準面に対して垂直に配置した第５の茎２５とから構成され、第１の茎から第５の茎の接する箇所で結束紐４０で結束された５本構成の花束を骨格とし、その周囲に６本目の茎２６以降の茎を順次放射状に追加した構成とする。【選択図】図２
0003217552.tif 000002
【実用新案登録請求の範囲】
【請求項１】
葉又は花を有する茎を複数本束ねるブーケであって、
水平基準面に対して第１斜め方向に配置された第１の茎と、
前記第１の茎と接するとともに、前記水平基準面に対して前記第１斜め方向とは異なる第２斜め方向に配置された第２の茎と、
前記第２の茎と接するとともに、前記第１及び第２の茎と交差し、前記水平基準面に対して前記第１及び第２斜め方向とは異なる第３斜め方向に配置された第３の茎と、
前記第３の茎と接するとともに、前記第１、第２及び第３の茎と交差し、前記水平基準面に対して前記第１、第２及び第３斜め方向とは異なる第４斜め方向に配置された第４の茎と、
前記第４の茎と接するとともに、前記第１から第４の茎が接している箇所で、前記水平基準面に対して鉛直方向に配置された第５の茎と、
前記第１の茎から前記第５の茎までが接している箇所で、前記第１の茎から前記第５の茎を結束する結束紐と、を備えるブーケ。
【請求項２】
前記第１の茎から前記第５の茎までを骨格として、第ｎ（ｎは６以上の自然数）の茎が、前記第１、第２、第３及び第４斜め方向とは異なる方向に前記結束紐で結束されている請求項１に記載のブーケ。
【請求項３】
前記第１の茎から前記第５の茎が有する葉及び花は、前記結束紐より上側のみにある請求項１又は請求項２に記載のブーケ。
【請求項４】
前記第１の茎から前記第５の茎は、造花又は生花を含み、
前記結束紐は、弾性変形するゴム又は前記ゴムより弾性変形が少ない糸を含む請求項１から請求項３のいずれか一項に記載のブーケ。
【請求項５】
葉又は花を有する茎を複数本束ねるブーケであって、
水平基準面に対して第１斜め方向に手で把持された第１の茎と、
前記水平基準面に対して前記第１斜め方向とは異なる第２斜め方向に手によって前記第１の茎との結束箇所で把持された第２の茎と、
前記水平基準面に対して前記第１及び第２斜め方向とは異なる第３斜め方向に手によって前記結束箇所で把持された第３の茎と、
前記水平基準面に対して前記第１、第２及び第３斜め方向とは異なる第４斜め方向に手によって結束箇所で把持された第４の茎と、
前記水平基準面に対して鉛直方向に手によって前記結束箇所で把持された第５の茎と、
前記結束箇所で、前記第１の茎から前記第５の茎を結束する結束紐と、を備えるブーケ。
【考案の詳細な説明】
【技術分野】
【０００１】
本考案は、生花または造花の花や葉を有する茎を複数束ねて結束した花束すなわちブーケに関するものである。
【背景技術】
【０００２】
ブーケにおける花束の構成の代表的なものとしては、花束をスパイラル状に配置していく構成、花束をパラレル状に配置していく構成がとられている。しかしながら、上記の構成では、花や葉が自然の揺れ動く効果を出しにくいために、特許文献１に開示されるブーケでは、花や葉をワイヤーで固定した束を組合せていく構成をとっている。
【先行技術文献】
【特許文献】
【０００３】
【特許文献１】特開２００６−００９１６４号公報
【考案の概要】
【考案が解決しようとする課題】
【０００４】
上述のように、花束の構成としては、従来から、花束をスパイラル状に配置していく構成や、パラレル状に配置していく構成がとられている。しかしながら、いずれの構成においても、各茎を基本として、それらを密に配置されていくため、花や葉も同様に密に配置されることとなり、ブーケを持つ人の動きに合わせて、花や葉が自然の揺れ動く効果が出にくく、また、全体にボリューム感が削がれ、見た目に重い印象を与えてしまう。
【０００５】
この問題を解消するため、特許文献１のブーケでは、生花、加工花、造花材である花にワイヤーを固定し、葉や茎を切り出した部分にワイヤーを固定し、これらを束ねたものを複数配置させる形態をとり、花や葉を密に配置することなく、相互に距離を持った位置関係を保って自由に動ける形態を創り出し、花や葉が自然な動きをするとともに、ブーケ全体のボリューム感を実現している。
【０００６】
しかしながら、この場合、花や葉が自然な動きを実現するためには、花の大きさ、茎の太さ等を配慮したワイヤーによる固定が必要で、また、それらワイヤーが表面に露出することを隠すために、花や葉の配置に制限があるという問題があった。  
【課題を解決するための手段】
【０００７】
そこで、本考案のブーケでは、葉又は花を有する茎を複数本束ね、水平基準面に対して第１斜め方向に配置された第１の茎と、その第１の茎と接するとともに、水平基準面に対して第１斜め方向とは異なる第２斜め方向に配置された第２の茎と、第２の茎と接するとともに、第１及び第２の茎と交差し、水平基準面に対して第１及び第２斜め方向とは異なる第３斜め方向に配置された第３の茎と、第３の茎と接するとともに、第１、第２及び第３の茎と交差し、水平基準面に対して第１、第２及び第３斜め方向とは異なる第４斜め方向に配置された第４の茎と、第４の茎と接するとともに、第１から第４の茎が接している箇所で、水平基準面に対して鉛直方向に配置された第５の茎と、第１の茎から第５の茎までが接している箇所で、第１の茎から第５の茎をまとめて結束する結束紐とを備える構成をとる。
【０００８】
また、第ｎ（ｎは６以上の自然数）の茎は、第１の茎から第５の茎までの花束を骨格として、第１、第２、第３及び第４斜め方向とは異なる方向に放射状に追加され、最後に、第１の茎から第ｎの茎をまとめて、結束紐で結束される。本来、２０本前後の葉又は花を有する茎を入れたブーケが完成してから結束紐で結束させる。しかしながら、後述する第２実施形態では、６本の茎を結束紐で結束する図を描き、また、６本の茎でブーケが完成する説明をする。
【考案の効果】
【０００９】
本考案のブーケは、個々の葉又は花が異なる方向を向いているので、個々の花や葉をワイヤーで固定せずに、ブーケを持つ人の動きに合わせて、花や葉が相互に距離を持った位置関係を保って、自然に揺れ動く効果を出すことが出来る。また、５本構成の花束を骨格とし、ブーケ作成の着手段階で最終形態のブーケ全体の大きさを予想することが可能であり、少ない葉又は花でボリューム感を出すこともできる。
【図面の簡単な説明】
【００１０】
【図１】第１実施形態の花束の５本構成のブーケである。
【図２】第１実施形態に、６本目の茎を加えた第２実施形態のブーケである。
【図３】（Ａ）は茎のスパイラル構成図、（Ｂ）は茎のパラレル構成図である。
【図４】（Ａ）は第１実施形態の花束の１本の平面図であり、（Ｂ）はその正面図である。
【図５】（Ａ）は第１実施形態の花束の２本組の平面図であり、（Ｂ）はその正面図である。
【図６】（Ａ）は第１実施形態の花束の３本組の平面図、（Ｂ）は正面図、（Ｃ）は側面図である。
【図７】（Ａ）は第１実施形態の花束の４本組の平面図、（Ｂ）は正面図、（Ｃ）は側面図である。
【図８】（Ａ）は第１実施形態の花束の５本構成の平面図であり、（Ｂ）は正面図、（Ｃ）は側面図である。
【図９】（Ａ）は第２実施形態の花束の５本構成に、６本目を加えたブーケの平面図であり、（Ｂ）は正面図、（Ｃ）は側面図である。
【図１０】（Ａ）は第４実施形態のゴムなどの結束紐、（Ｂ）は第４実施形態の糸などの結束紐である。
【考案を実施するための形態】
【００１１】
以下、本考案実施形態を図面に基づいて詳細に説明する。なお、本考案は以下に説明する実施形態に限られるものではない。
【００１２】
＜第１実施形態＞
図１は、第１実施形態のブーケの外観図である。本実施形態のブーケは、第１から第５までの茎から構成される５本構成の花束を骨格としている。後述するように、各々の葉又は花１０（１１〜１５）は、各茎２０（２１〜２５）の上方で、水平基準面に対して各々別方向に向き、相互に距離を持った位置関係を保つため、花束を持つ人の動きに合わせて自然に揺れ動くことができる。
【００１３】
この５本構成のブーケは、第５の葉又は花１５が全体の中心に配置され、各茎２１〜２５は、各々の茎が接している結束箇所３４で、結束紐４０で結束されている。
【００１４】
次に、葉又は花をワイヤーで固定しない、従来までの花束の構成手順について説明する。図３は、従来、花束の束ね方として一般的にとられている構成図である。（Ａ）は、花束をスパイラル状に配置していく構成で、最初に中心となる１本の茎からスパイラル状に茎を追加していく。（Ｂ）は、茎を平行にパラレル状に配置していく構成である。
【００１５】
これらのいずれの構成においても、各茎２０を基本として、それらを密に配置されていくため、各茎２０の上に配置された花や葉も同様に密に配置されることとなり、ブーケを持つ人の動きに合わせて、花や葉が自然の揺れ動く効果がでにくく、また、全体にボリューム感が削がれ、見た目に重い印象を与えてしまう。
【００１６】
特許文献１のブーケでは、葉又は花を個別にワイヤーで固定することで、花や葉の自然な動きを演出するが、本考案のブーケでは、以下に説明するように、ワイヤー等を用いずに、葉又は花１０を有する茎２０を素材そのまま用い、５本の茎２１〜２５を左右前後及び中央に構成される５本の花束により骨格づくりを行い、上記問題点を解消していく。
【００１７】
図４は、葉又は花１１を有する茎２１を表した１本の図である。図４（Ａ）はその平面図であり、（Ｂ）は正面図である。生花を用いる場合には、茎の末端２１ａは、茎の繊維を傷めないように、丁寧にフラワーデザイン・ナイフ等を用いて斜めにカットする。カット方向についての制限はないが、切り口が斜めにカットされることで、吸水面積が広くなり素材が長持ちする効果もあり、なるべく鋭角にカットされることが望ましい。以下に述べる各々の茎２２〜２６の末端についても同様にフラワーデザイン・ナイフ等を用いて斜めにカットする。
【００１８】
図４（Ａ）では、例えば葉又は花１１花から末端２１ａへの方向がマイナスＸ軸方向に向いている。茎の方向はＹ軸方向又はその他の方向に向いて配置して良いが、図５から図９に描かれた１本目の茎２１はマイナスＸ軸方向に向いていることを前提に説明される。また、図４（Ｂ）に示されるように、茎２１は、葉又は花１１を上方（プラスＺ軸方向）にして、プラスＺ軸方向に対して１５度から４５度に傾けて配置される。
【００１９】
図５は、さらに葉又は花１２を有する茎２２を１本加えた花束の２本組の図である。図５（Ａ）はその平面図であり、（Ｂ）は正面図である。図５（Ａ）の平面図に示されるように、茎２２は、茎２１とＸ軸方向で交差させて接し、葉又は花１２を茎２２の上方（プラスＺ軸方向）になるように配置する。また図５（Ｂ）の正面図に示されるように、茎２２は、葉又は花１２を上方にして、プラスＺ軸方向に対して１５度から４５度に傾けて配置される。茎２１と茎２２とは、茎の結束箇所３１で接している。
【００２０】
図５（Ａ）及び（Ｂ）では、茎２２を茎２１のマイナスＹ軸方向に配置しているが、この逆に、茎２２を茎２１のプラスＹ軸方向に配置しても構わない。
【００２１】
図６は、図４の花束の２本組に、さらに葉又は花１３を有する茎２３を加えた花束の３本組の図である。図６（Ａ）はその平面図、（Ｂ）は正面図、（Ｃ）は側面図である。図６（Ａ）に示されるように、葉又は花１３をプラスＹ軸方向にして茎２３の下方をマイナスＹ軸方向にして、茎２１及び茎２２と交差させる。図６（Ｂ）に示されるように、茎２３は、葉又は花１３をＺ軸プラス方向にして配置され、また、図６（Ｃ）に示されるように、プラスＺ軸方向に対して１５度から４５度に傾けて配置される。
【００２２】
なお、図６（Ａ）では、葉又は花１３が茎２１及び茎２２のプラスＹ軸方向に配置しているが、この逆に、葉又は花１３が茎２１と茎２２のマイナスＹ軸方向に配置されていても構わない。また、茎２３が茎２１及び茎２２の結束箇所３２のマイナスＺ軸方向で接しているが、その逆に、茎２１及び茎２２の結束箇所３２のプラスＺ軸方向で接していても構わない。
【００２３】
図７は、図６の花束の３本組に、さらに葉又は花１４を有する茎２４を加えた花束の４本組の図である。図７（Ａ）はその平面図、（Ｂ）は正面図、（Ｃ）は側面図である。図７（Ｂ）の正面図に示すように、茎２４は茎の下方をプラスＹ軸方向に、葉又は花１４をマイナスＹ軸方向にして、茎２１及び茎２２と交差させるとともに、茎２１、茎２２、茎２３の結束箇所３３に接して通るように傾けて配置する。図７（Ｂ）に示されるように、茎２４は、葉又は花１４をプラスＺ軸方向にして配置され、また、図７（Ｃ）に示されるように、プラスＺ軸方向に対して１５度から４５度に傾けて配置される。
【００２４】
なお、３本目の葉又は花１３が茎２１及び茎２２のプラスＹ軸方向に配置していたため図７（Ａ）では、葉又は花１４が茎２１及び茎２２のマイナスＹ軸方向に配置されている。葉又は花１３が茎２１と茎２２のマイナスＹ軸方向に配置されていれば、４本目の葉又は花１４が茎２１と茎２２のプラスＹ軸方向に配置される。また、茎２４が茎２１及び茎２２とマイナスＺ軸方向で結束箇所３３において接しているが、茎２４が茎２１及び茎２２とプラスＺ軸方向で接していても構わない。つまり、茎２３及び茎２４の両方ともが、茎２１と茎２２の結束箇所３３の下側（マイナスＺ軸方向）であってもよく上側（プラスＺ軸方向）であってもよい。
【００２５】
図８は、図７の花束の４本組に、さらに葉又は花１５を有する茎２５を加えた花束の５本構成のブーケの図である。図８（Ａ）はその平面図であり、（Ｂ）は正面図、（Ｃ）は側面図である。葉又は花１５は５本構成の花束の中心となる。そのため、茎２５は図６の花束の４本組に対して、図８（Ａ）の平面図のプラスＺ軸方向から、茎２５の下方をマイナスＺ軸方向に向って、軸がずれないようにまっすぐに挿入する。この際に、茎２５が結束箇所３３に茎２５が軸ずれすると、５本構成の花束の骨格が崩れるので注意する。図８（Ｂ）及び（Ｃ）に示されるように、この花束の５本構成のブーケが完成した後に、茎２１から茎２５までが接している結束箇所３４で結束紐４０を用いて結束されてもよい。
【００２６】
本実施形態のブーケは、図８に示された５本の茎が骨格となる。これら茎２１〜２５をＺ軸に対して傾ける角度については、葉又は花１１〜１５の大きさ等によって適宜変更される。また第２実施形態で説明されるように、５本の茎の骨格に対して、さらに追加される葉又は花及び茎のサイズや、それらで構成される全体の美観を考え、その都度調整される。
【００２７】
＜第２実施形態＞
図２は、第２実施形態のブーケの外観図である。また、図９は、図８の５本構成のブーケに、葉又は花１６を有する茎２６を加えた花束が６本のブーケの図である。図９（Ａ）はその平面図であり、（Ｂ）は正面図、（Ｃ）は側面図である。花又は葉１６を有する茎２６を追加する際には、花束の５本構成のブーケの全体の構成のバランスや、美観を考え、花束の５本構成のブーケの周囲に、葉又は花１６が、葉又は花１１〜１５とは異なる方向に放射状に配置するように、花束の５本構成の骨格に茎２６を挿入し、全ての茎が接している結束箇所３５で結束される。また、７本目以降の茎を追加する場合も同様に追加し、同様の処理がなされる。
【００２８】
図１の第１実施形態及び図２の第２実施形態のブーケでは、全ての葉又は花１０（１１〜１６）は、茎２０（２１〜２６）の結束箇所３１〜３５よりも上に配置する。そのため、結束部分３１〜３５より上にある葉又は花１１〜１６は、ブーケを人の動きに合わせて、それが配置された各々の異なる方向を中心にして、自然に揺れ動き、全体としてボリューム感を演出する。
【００２９】
図１０（Ａ）と（Ｂ）は、各茎２０を結束する結束紐４０の実施形態である。（Ａ）は弾性変形するゴムなどの結束紐４１、（Ｂ）はそれより弾性変形が少ない糸などの結束紐４２である。花束の結束は、５本以上の花束を配置した最終段階で、全ての茎をまとめて、その結束箇所で行われる。例えば、６本目以降の茎を追加する花束の場合には、図９で示したように。全ての茎２１〜２６をまとめて、その結束箇所３５において、結束紐４０の巻始めと巻き終わりとで結んで結束される。
【００３０】
図１０（Ａ）の結束紐のゴム４１には、輪ゴムなどのゴムバンドを用いることができる。その場合には、５本以上の花束を配置した最終段階で、全ての茎をまとめて結束を行う手順の他に、５本の茎２１〜２５を結束できる幾重かの輪をつくり、５本構成の骨格がくずれないように、５本構成の結束箇所３４で結束し、６本目以降の茎については、輪ゴムを引き延ばして結束スペースをつくり、そこに挿入し、さらにまとめて結束するといった手順をとることもできる。
【００３１】
図１０（Ｂ）の糸などの結束紐４２を用いた場合の花束の結束についても、同様に、結束は、５本以上の花束を配置した最終段階で、全ての茎をまとめて、その結束箇所で行われる。（Ｂ）の糸などの結束紐３２として、細い綿花等の天然繊維の糸が用いられる場合には、細いので結束時に茎２０に食い込み、茎２０を傷つけることがあるので注意する。
【００３２】
なお、これらのブーケは、結束紐４０により結束した後は、結束箇所３５から下方（マイナスＺ軸方向）に向けて、テープやワイヤーを用いて、各茎２１〜２６を真っ直ぐに揃えて束ね、保水紙や水を含ませた脱脂綿を入れたアルミ箔で、結束箇所３５から下方（マイナスＺ軸方向）全体を覆い、顧客に届ける荷姿となる。
【００３３】
第１実施形態及び第２実施形態の構成は、作業者の手によって行われる。まず、作業者の利き手の反対の手で最初の１本の茎２１を持つ。２本目の茎２２は同じ手の指で添えて、順次、両手指を使いながら、前後、左右、中央に、葉又は花１０を有する茎２０を組み上げていく。ブーケをこの実施形態１及び実施形態２の構成にした場合、ブーケとしての最終形態のサイズや出来上がり形態が、初心者でも着手段階から容易に予想でき、また、中央に後から見せ場となる花を添えることも出来るので、初心者でも満足いく出来上がりのブーケを実現することができる。
【符号の説明】
【００３４】
１０、１１、１２、１３、１４、１５、１６  …            葉又は花
２０、２１、２２、２３、２４、２５、２６  …            茎
２１ａ          …                                      茎の末端
３１、３２、３３、３４、３５              …            結束箇所
４０            …                                      結束紐
４１            …                                      ゴムなどの結束紐
４２            …                                      糸などの結束紐
【図１】
0003217552.tif 000003
【図２】
0003217552.tif 000004
【図３】
0003217552.tif 000005
【図４】
0003217552.tif 000006
【図５】
0003217552.tif 000007
【図６】
0003217552.tif 000008
【図７】
0003217552.tif 000009
【図８】
0003217552.tif 000010
【図９】
0003217552.tif 000011
【図１０】
0003217552.tif 000012